(57)【要約】【課題】テキスト情報を表示するタッチスクリーンへの接触操作を検知して当該テキスト情報の正当性を確認する重要情報確認方法、装置およびプログラムならびにその記録媒体を提供する。【解決手段】重要情報抽出部１０３は、ユーザにより入力されたテキスト情報やアプリケーションにより提供されるテキスト情報の中から重要テキスト部分を抽出する。レイアウト部１０５は、重要テキスト部分を表示パネル１００ｂ上に一覧表示する際のレイアウトを決定する。承認パターン登録部１０６には、重要テキスト部分を承認するときに検出される承認パターンが登録されている。拒否パターン登録部１０７には、重要情テキストを承認しないときに検出される拒否パターンが登録されている。操作判定部１０８はタッチスクリーン１００において検知された接触操作パターンが承認パターンおよび拒否パターンのいずれであるかに基づいて重要テキスト部分を評価する。【選択図】図９
2017059264.tif 000002
【特許請求の範囲】
【請求項１】
テキスト情報を表示するタッチスクリーンへの接触操作を検知して当該テキスト情報の正当性を確認する重要情報確認装置において、
ユーザにより入力されたテキスト情報の中から、その一部である複数の重要テキスト部分を抽出する抽出手段と、
抽出された複数の重要テキスト部分をタッチスクリーン上にレイアウトするレイアウト手段と、
前記重要テキスト部分を承認する接触パターンが登録された承認パターン登録手段と、
前記複数の重要テキスト部分がレイアウトされたタッチスクリーンにより検知された接触操作が前記承認パターンであるか否かを判定する判定手段とを具備し、
前記承認パターンで接触操作された重要テキスト部分を承認済みとして処理することを特徴とする重要情報確認装置。
【請求項２】
前記レイアウト手段は、複数の重要テキスト部分をランダムにレイアウトすることを特徴とする請求項１に記載の重要情報確認装置。
【請求項３】
前記複数の重要テキスト部分に対して確認順序を設定する順番設定手段を具備し、
前記判定手段は、前記確認順序にしたがって、各重要テキスト部分への接触操作が承認パターンであるか否かを順次に判定することを特徴とする請求項２に記載の重要情報確認装置。
【請求項４】
前記順番設定手段は、前記複数の重要テキスト部分のそれぞれのレイアウト位置近傍に、各重要テキスト部分に対して設定された確認順序の序数表示をレイアウトすることを特徴とする請求項３に記載の重要情報確認装置。
【請求項５】
前記承認パターンが、各テキスト表示位置の一端から他端までの接触操作であることを特徴とする請求項１ないし４のいずれかに記載の重要情報確認装置。
【請求項６】
前記承認パターンが、n行目のテキスト表示位置の一端から他端までの接触操作および(n+1)行目のテキスト表示位置の他端から一端までの接触操作であることを特徴とする請求項１ないし４のいずれかに記載の重要情報確認装置。
【請求項７】
前記承認パターンが、各テキスト表示位置の一端から他端までの複数回の接触操作であることを特徴とする請求項１ないし４のいずれかに記載の重要情報確認装置。
【請求項８】
前記承認パターンが、タッチスクリーン上での軌跡が所定の図形または文字となる接触操作であることを特徴とする請求項１ないし４のいずれかに記載の重要情報確認装置。
【請求項９】
前記重要テキスト部分を拒否する接触パターンが登録された拒否パターン登録手段をさらに具備し、
前記判定手段は、前記重要テキスト部分を表示中のタッチスクリーンにより検知された接触操作が前記拒否パターンであるか否かをさらに判定し、
前記拒否パターンで接触操作された重要テキスト部分を未承認として処理することを特徴とする請求項１ないし８のいずれかに記載の重要情報確認装置。
【請求項１０】
前記拒否パターンが、タッチスクリーン上での軌跡が所定の図形または文字となる接触操作であることを特徴とする請求項９に記載の重要情報確認装置。
【請求項１１】
前記判定手段は、接触操作の速度を検知する手段を具備し、
前記接触操作の速度が所定の範囲内であることが、さらに承認の条件とされることを特徴とする請求項１ないし１０のいずれかに記載の重要情報確認装置。
【請求項１２】
前記判定手段は、接触操作の加速度を検知する手段を具備し、
前記接触操作の加速度が所定の範囲内であることが、さらに承認の条件とされることを特徴とする請求項１ないし１０のいずれかに記載の重要情報確認装置。
【請求項１３】
前記接触操作の履歴を管理するデータベースをさらに具備したことを特徴とする請求項１ないし１２のいずれかに記載の重要情報確認装置。
【請求項１４】
テキスト情報を表示するタッチスクリーンへの接触操作を検知して当該テキスト情報の正当性を確認する重要情報確認方法において、
ユーザにより入力されたテキスト情報の中から、その一部分である複数の重要テキスト部分を抽出する手順と、
抽出された複数の重要テキスト部分をタッチスクリーン上にレイアウトする手順と、
前記複数の重要テキスト部分がレイアウトされたタッチスクリーンへの接触操作を検知する手順と、
前記接触操作の検知結果が、重要テキスト部分を承認する承認パターンであるか否かを判定する手順とを含み、
前記承認パターンで接触操作された重要テキスト部分を承認済みとして処理することを特徴とする重要情報確認方法。
【請求項１５】
前記レイアウトする手順は、複数の重要テキスト部分をランダムにレイアウトすることを特徴とする請求項１４に記載の重要情報確認方法。
【請求項１６】
前記複数の重要テキスト部分に対して確認順序を設定する手順を含み、
前記判定する手順は、前記確認順序にしたがって、各重要テキスト部分への接触操作が承認パターンであるか否かを順次に判定することを特徴とする請求項１５に記載の重要情報確認方法。
【請求項１７】
前記確認順序を設定する手順は、複数の重要テキスト部分のそれぞれのレイアウト位置近傍に、各重要テキスト部分に対して設定された確認順序の序数表示をレイアウトすることを特徴とする請求項１６に記載の重要情報確認方法。
【請求項１８】
前記承認パターンが、n行目のテキスト表示位置の一端から他端までの接触操作および(n+1)行目のテキスト表示位置の他端から一端までの接触操作であることを特徴とする請求項１４ないし１７のいずれかに記載の重要情報確認方法。
【請求項１９】
前記接触操作の検知結果が、重要テキスト部分の承認を拒否する拒否パターンであるか否かを判定する手順をさらに含み、
前記拒否パターンで接触操作された重要テキスト部分を承認しないことを特徴とする請求項１４ないし１８のいずれかに記載の重要情報確認方法。
【請求項２０】
前記請求項１４ないし１９のいずれかに記載の重要情報確認方法が、コンピュータによって実行可能なプログラムで記述された重要情報確認プログラム。
【請求項２１】
前記請求項２０に記載の重要情報確認プログラムが、コンピュータによって読み取り可能に記録された重要情報確認プログラムの記録媒体。
【発明の詳細な説明】
【技術分野】
【０００１】
本発明は、重要情報確認方法、装置およびプログラムならびにその記録媒体に係り、特に、接触操作により入力指示等を行うタッチスクリーンに好適な重要情報確認方法、装置およびプログラムならびにその記録媒体に関する。
【背景技術】
【０００２】
情報端末の入力操作部として、表示パネルに表示された文字、図形、記号等を接触操作すると、これが電気的に検知されて入力指示が可能となるタッチスクリーン方式の入力システムが、スマートフォンやタブレット端末などを中心に普及している。
【０００３】
従来の機械的なスイッチでは、ユーザが自らの意志で、ある程度の力を入れで押下操作等をしなければ入力指示と受け取られなかった。これに対して、接触操作による入力指示方式では、スクリーンの表面に指などが接触すると、これが意志に基づくものであるか否かにかかわらず直ちに入力指示と判断されてしまうので、入力ミスが発生し易いという構造上の問題を有する。
【０００４】
このような技術課題に対して、特許文献１には、必要なときだけグラフィック表示画面をタッチエリア上に表示することで誤タッチ操作を防止する技術が開示されている。特許文献２には、誤った位置を押下した際に入力有効領域を提示して再度の誤入力を防止する技術が開示されている。
【先行技術文献】
【特許文献】
【０００５】
【特許文献１】特開平6-342278号公報
【特許文献２】特開2000-172427号公報
【発明の概要】
【発明が解決しようとする課題】
【０００６】
上記の従来技術はいずれも、誤入力の防止を目的とした技術であるが、これらの誤入力防止技術をもってしても、テキスト等の誤入力を完全に防止することはできない。したがって、誤入力を更に減少させるためには、入力済みの情報をユーザに再確認させることが望ましい。
【０００７】
しかしながら、上記の従来技術はいずれも、誤入力の発生頻度をある程度は低減できるものの完全には防止することができず、ひとたび誤入力が発生してしまうと、これを効果的に検出することができなかった。
【０００８】
また、ネット通販などで買い物をする際に、購入商品、価格、数量、支払い方法等の入力確認以外にも、キャンセル条件や商品交換条件といった、販売者からWebブラウザ等のアプリケーション経由で提供される重要事項にも確実に目を通しておかないと不測の不利益を生じる場合がある。しなしなから、従来技術ではこれらの重要事項をユーザに確実に確認させることができなかった。
【０００９】
本発明の目的は、従来技術の課題を解決し、ユーザにより入力されるテキスト情報やアプリケーションにより提供されるテキスト情報をユーザに確認させることで、テキスト情報の誤入力や重要事項等の読み落としを防止できる重要情報確認方法、装置およびプログラムならびにその記録媒体を提供することにある。
【課題を解決するための手段】
【００１０】
上記の目的を達成するために、本発明は、テキスト情報を表示するタッチスクリーンへの接触操作を検知して当該テキスト情報の正当性を確認する重要情報確認装置において、以下のような構成を具備した点に特徴がある。
【００１１】
(1) ユーザに提示するテキスト情報の中から重要テキスト部分を抽出する手段と、抽出された重要テキスト部分をタッチスクリーン上にレイアウトするレイアウト手段と、重要テキスト部分を承認する接触パターンが登録された承認パターン登録手段と、重要テキスト部分がレイアウトされたタッチスクリーンにより検知された接触操作が承認パターンであるか否かを判定する判定手段とを具備し、承認パターンで接触操作されたテキストを承認済みとして処理するようにした。
【００１２】
(2) 判定手段は、接触操作の速度や加速度を検知し、接触操作の速度や加速度が所定の範囲内であることが承認の条件とされるようにした。
【００１３】
(3) レイアウト手段は、複数の重要テキスト部分をタッチスクリーン上にランダムにレイアウトするようにした。
【００１４】
(4) 複数の重要テキスト部分に対して確認順序を設定する順番設定手段を設け、判定手段は、確認順序にしたがって、各テキストへの接触操作が承認パターンであるか否かを順次に判定するようにした。
【００１５】
(5) 順番設定手段は、複数の重要テキスト部分のそれぞれのレイアウト位置近傍に、各重要テキスト部分に対して設定された確認順序の序数表示をレイアウトするようにした。
【００１６】
(6) 接触操作の履歴を管理するデータベースをさらに具備した。
【発明の効果】
【００１７】
本発明によれば、以下のような効果が達成される。
【００１８】
(1) ユーザが重要テキスト部分の確認を余儀なくされるようなパターンの接触操作を要求し、当該パターンの接触操作が検出されたことを条件に当該テキストが承認されるので、誤入力や読み落としを効果的に防止できるようになる。
【００１９】
(2) 接触操作の速度や加速度に制限を設け、基準速度や基準加速度を越えるような、ユーザが重要テキスト部分を逐一確認しながら接触操作しているとは認められない操作は許可されないようにしたので、ユーザに対して確実な確認を期待できるようになる。
【００２０】
(3) 複数の重要テキスト部分を一覧表示し、それらの確認を求める場合には、各重要テキスト部分のレイアウトがランダムに変更されるようにし、さらには確認順序がランダムに設定されるようにしたので、慣れによる注意力の低下を防止でき、ユーザに対して更に確実な確認を期待できるようになる。
【００２１】
(4) 各重要テキスト部分に対する接触操作を履歴としてデータベースに保存するようにしたので、誤入力や読み落とし等が後に発見された場合などに、その検証が可能になる。
【図面の簡単な説明】
【００２２】
【図１】本発明におけるメール送信の入力、確認方法を示した図（その１）である。
【図２】本発明におけるメール送信の入力、確認方法を示した図（その２）である。
【図３】本発明におけるメール送信の入力、確認方法を示した図（その３）である。
【図４】本発明におけるメール送信の入力、確認方法を示した図（その４）である。
【図５】本発明における購買画面への入力、確認方法を示した図（その１）である。
【図６】本発明における購買画面への入力、確認方法を示した図（その２）である。
【図７】本発明における購買画面への入力、確認方法を示した図（その３）である。
【図８】本発明における購買画面への入力、確認方法を示した図（その４）である。
【図９】本発明の一実施形態に係る重要情報確認装置の機能ブロック図である。
【図１０】履歴データベースの機能を説明するための図である。
【図１１】本発明の一実施形態の動作を示したフローチャート（その１）である。
【図１２】本発明の一実施形態の動作を示したフローチャート（その２）である。
【図１３】重要テキスト部分の他のレイアウト例を示した図である。
【図１４】重要テキスト部分の確認順序を示した図である。
【図１５】重要テキスト部分の他の確認方法を示した図である。
【図１６】重要テキスト部分のさらに他の確認方法を示した図である。
【発明を実施するための形態】
【００２３】
以下、図面を参照して本発明の実施の形態について詳細に説明する。図１ないし図３は、本発明に係る重要情報確認方法の概要を模式的に表現した図であり、ここでは初めに、電子メールの送信操作を例にして説明する。
【００２４】
電子メールのアプリケーションを起動し、そのメール作成画面において「宛先」、「CC（BCC）」、「件名」、「添付」および「メッセージ」等のテキスト情報の入力が完了すると、図１に示したように、入力項目の中から重要情報として「宛先」、「CC（BCC）」、「件名」、「添付」の各重要テキスト部分が抽出されて一覧表示される。なお、重要テキスト部分として抽出される上記項目は一例に過ぎず、ユーザまたは管理者等がアプリケーションごとに任意に設定可能である。
【００２５】
この一覧表示画面には、赤字（図では、強調文字）で記述された各重要テキスト部分を順番になぞるように要求するメッセージM1と共に、各重要テキスト部分をなぞる順番を示す序数(1)〜(5)が重畳表示されている。なお、なぞる範囲もユーザまたは管理者等が任意に設定可能であり、例えばアドレス情報であれば、「アドレス情報全て」、「アドレスのドメイン名以外」といった設定が可能である。
【００２６】
ユーザは、各重要テキスト部分を前記序数で指示された順番通りに、その一端から他端まで指でなぞるように順次に接触操作する。図示の例では、初めに序数(1)の「宛先」に関する重要テキスト部分[aaaa@kddi.com]が、その一端である始点文字[a]から他端である終点文字[m]までなぞるように接触操作される。
【００２７】
本実施形態では、ユーザが各重要テキスト部分を、その内容を確認しながら接触操作していることを担保すべく、各重要テキストを指でなぞる際の速度や加速度に条件が設けられており、所定の基準速度や基準加速度よりも小さな速度、加速度でなぞられている場合には、ユーザがテキストの内容を確認しながら接触操作しているものと判断され、図２に示したように、確認済ラインL1が接触操作の軌跡上に所定の色、模様で重畳表示される。これにより、ユーザは当該重要テキスト部分が確認済みであることを視覚的に確認できる。なお、前記基準速度および基準加速度もユーザまたは管理者等が予め任意に設定可能である。
【００２８】
これに対して、各テキストが所定の基準速度や基準加速度よりも大きな速度、加速度でなぞられている場合には、ユーザがテキストの内容を確認することなく機械的に接触操作しているものと判断され、前記接触操作の軌跡ラインが重畳表示されない。この場合、ユーザは改めて各重要テキスト部分の始点から接触操作を繰り返さなければならない。
【００２９】
以上のようにして、序数(1)の「宛先」についての確認が終了すると、次いで、序数(2)の「cc」に関するテキスト[bbb@kddi.com]が、その始点文字[b]から終点文字[m]までなぞられ、以下同様に、序数(3)の「cc」に関するテキスト[cccc@kddi.com]、序数(4)の「subject」に関するテキスト[こんにちわ]、そして最後に序数(5)の「添付」に関するテキスト[○○見積もり]が、その始点から終点まで順次に指でなぞるように接触操作される。一覧表示された全ての重要テキスト部分上に確認済ラインL1が重畳表示されると、当該メールが宛先へ送信される。
【００３０】
なお、確認対象の重要テキスト部分がタッチスクリーン上に一覧表示される際の各序数の割当は固定的ではなく、図３に示したように、ランダムに変化させることが望ましい。これにより、ユーザの「慣れ」による注意力や集中力の低下が防止され、毎回、確実な確認操作が可能になる。
【００３１】
また、前記確認用の接触操作の過程で入力内容に誤りがあったことに気付いた場合には、図４に示したように、タッチスクリーン１００の全面に接触操作で大きな×印を入力すると、メール作成画面に戻ってテキストの修正が可能になる。
【００３２】
次いで、図５ないし図８を参照して、ネット購入時の操作を例にして本発明の動作概要をさらに説明する。
【００３３】
ネット購入では、一般的に購入画面への入力操作に次いで個人情報設定画面への個人情報の入力操作が行われる。図５に示したように、各画面において入力操作が完了すると注文確認画面が表示される。この注文確認画面には、各重要テキスト部分を指定の順序でなぞるように要求するメッセージM2と共に、各重要テキスト部分をなぞる序数(1)〜(7)が表示されている。なお、ここで抽出される重要テキスト部分はユーザが入力したテキストに限定されず、例えば利用規約等に含まれる、キャンセル料の発生条件や商品の取り替え可能期間など、特にユーザに関連が深い条項が併せて抽出されている。
【００３４】
本実施形態では、購入した２つの商品[スカート]、[靴]およびその合計金額[\12000]が重要テキスト部分として抽出されており、各重要テキスト部分の近傍に、それぞれ序数(1)、(2)、(3)が付されている。また、「お届け先」のテキスト[○○区…]に序数(4)が付され、「お支払い方法」のテキスト[クレジット]に序数(5)が付されている。さらに、本実施形態ではアプリケーションにより提供される「利用規約」のテキスト情報から[３日前にキャンセル料発生]および[お客様負担]が重要テキスト部分として抽出され、それぞれに序数(6)、(7)が付されている。なお、いずれの情報を重要テキスト部分として抽出するかは、ユーザまたは管理者等が任意に設定可能である。
【００３５】
この場合も、各重要テキスト部分が、その序数に応じた順番で、テキストの始点から終点まで、基準速度または基準加速度以下でなぞるように接触操作されると、ユーザが各テキストの内容を確認しながら接触操作しているものと判断され、図６に示したように、確認済ラインL2が接触操作の軌跡上に所定の色、模様で重畳表示される。これにより、ユーザは当該重要テキスト部分が確認済みであることを視覚的に確認できる。
【００３６】
なお、確認対象の重要テキスト部分がタッチスクリーン上に一覧表示される際の順番は固定的である必要はなく、図７に示したように、ランダムに変化させることが望ましい。また、前記確認用の接触操作の過程で入力テキストに誤りがあることに気付いた場合は、図８に示したように、スクリーン全面に接触操作で×印を入力すると、購入画面に戻ってテキストの修正、再入力が可能になる。
【００３７】
次いで、本発明の実施形態について更に詳細に説明する。図９は、上記の機能を実現する本発明の一実施形態に係る重要情報確認装置１の構成を示した機能ブロック図であり、例えばスマートフォンやタブレット端末に適用される。
【００３８】
タッチスクリーン１００は、液晶あるいは有機ELなどの表示パネル１００ｂの表面に透明なタッチセンサ１００ａを積層して構成され、電子メール１０１ａやブラウザ１０１ｂなどのアプリケーションから要求される入力画面を、その表示パネル１００ｂへ表示すると共に、タッチセンサ１００ａに対するユーザの接触操作により認識された入力情報を前記アプリケーションへ返す。
【００３９】
重要情報抽出部１０３において、重要情報判定値登録部１０３ｂには、ユーザにより入力されたテキスト情報やアプリケーションにより提供されるテキスト情報の中から重要情報を識別するための判定値が登録されている。このような重要情報判定値は、予めユーザまたは管理者等により登録される。
【００４０】
重要情報判定部１０３ａは、ユーザにより入力されたテキスト情報やアプリケーションにより提供されるテキスト情報を対象に、前記重要情報判定値に基づいて重要情報であるか否かを判定する。重要情報抽出部１０３は、重要情報と判定されたテキストを重要テキスト部分として抽出する。
【００４１】
レイアウト部１０５は、前記抽出された重要テキスト部分を、前記図１，３，５，７に例示したように、表示パネル１００ｂ上に一覧表示する際のレイアウトを決定する。順番設定部１０５ａは、各重要テキスト部分に対して確認の順番を設定し、各重要テキスト部分のレイアウト位置近傍にその序数をレイアウトする。
【００４２】
承認パターン登録部１０６には、前記表示パネル１００ｂに表示されている重要テキスト部分に対して、ユーザがその正当性を確認して承認したときに検出される接触操作のパターン（承認パターン）が予め登録されている。
【００４３】
拒否パターン登録部１０７には、前記表示パネル１００ｂに表示されている重要情テキストに対して、ユーザが誤りに気付いたときに検出される接触操作のパターン（拒否パターン）が予め登録されている。
【００４４】
操作判定部１０８において、接触操作評価部１０８ａは、接触操作が所定の基準速度以下および／または基準加速度以下で行われているか否かに基づいて接触操作の正当性を評価する。確認済ライン重畳部１０８ｂは、前記正当評価された接触操作に係る重要テキスト部分に対して前記確認済ラインL1，L2を重畳表示する。
【００４５】
前記操作判定部１０８は、重要テキスト部分およびその序数が前記レイアウト部１０５によりタッチスクリーン１００上にレイアウトされている状態でタッチスクリーン１００において検知された接触操作パターンが、前記承認パターンおよび拒否パターンのいずれであるかに基づいて、前記重要テキスト部分の正当性を判定する。そして、接触操作が前記承認パターンであれば、当該重要テキスト部分を含むテキスト情報を承認して前記アプリケーションへ返す一方、前記拒否パターンであれば、前記アプリケーションに対してテキスト情報の入力をやり直すように要求する。
【００４６】
履歴データベース１０９には、図１０に示したように、前記図２，４，６，８に例示した接触操作の履歴が記憶され、入力ミスが原因と思われるトラブルなどが発生したときに、その後の検証などに用いられる。
【００４７】
図１１，１２は、本発明の一実施形態の動作を示したフローチャートであり、ここでは、既に所定のアプリケーションが起動されており、当該アプリケーションにおけるテキスト入力画面がタッチスクリーン１００に表示されている状態から説明を始める。
【００４８】
ステップＳ１において、タッチスクリーン１００へのテキスト入力が検知されると、ステップＳ２では、順次に入力されるテキストが一時記憶される。ステップＳ３では、テキスト入力が完了したか否かが判定される。
【００４９】
ここで、今回のテキスト入力がメールアプリケーションのメッセージ作成であれば、例えば「送信ボタン」がクリックされることでテキスト入力の完了と判定される。ステップＳ４では、前記入力されたテキストおよび／またはアプリケーションにより提供されるテキスト情報の中から、前記重要情報判定部１０３ａにより、前記重要情報判定値に基づいて重要テキスト部分が判定される。ステップＳ５では、重要テキスト部分と判定された文字列が抽出される。ここでは、「宛先」、「CC（BCC）」、「件名」、「添付」の各テキストが抽出されたものとして説明を続ける。
【００５０】
ステップＳ６では、前記レイアウト部１０５により、前記抽出された各重要テキスト部分のタッチスクリーン１００上でのレイアウトがランダムに決定される。ステップＳ７では、各重要テキスト部分の確認順序がランダムに決定される。ステップＳ８では、前記レイアウトの決定結果に従って前記各重要テキスト部分がタッチスクリーン１００上の所定の位置に一覧表示される。このとき、前記確認順序を表す序数も、前記図１に示したように、各重要テキスト部分の始点近傍に重畳表示される。ステップＳ９では、各重要テキスト部分の内容をユーザに確認させる重要情報確認処理が実行される。
【００５１】
図１２は、前記ステップＳ９で実行される重要情報確認処理の手順を示したフローチャートであり、ステップＳ３１では、重要テキスト部分の確認順序を示す変数nに初期値の「１」がセットされる。ステップＳ３２では、n番目の重要テキスト部分の始点位置への接触が検知されたか否かが判定される。始点位置への接触が検知されると、ステップＳ３３へ進み、n番目の重要情報の文字列に沿って基準速度（または、基準加速度）を下回る速度で接触位置が移動中であるか否かが、前記接触操作評価部１０８ａにより評価される。すなわち、ユーザが重要テキスト部分を指でなぞりながら文字列の正しさを確認中であるか否かが評価される。
【００５２】
確認中であることが判るとステップＳ３４へ進み、確認済ラインが接触操作の軌跡上、すなわち始点から現在の接触位置まで、前記確認済ライン重畳部１０８ｂにより重畳表示される。ステップＳ３５では、n番目の重要テキスト部分の終点位置への接触が検知されたか否かが判定される。終点位置への接触が検知されると、今回のn番目の重要テキスト部分の確認を終了してステップＳ３６へ進む。
【００５３】
ステップＳ３６では、全ての重要テキスト部分について、その確認が完了したか否かが判定される。完了していなければステップＳ３７へ進み、前記変数nをインクリメントしてステップＳ３２へ戻り、残り全ての重要テキスト部分を対象に上記の確認処理が順次に実行される。
【００５４】
なお、上記の各手順のいずれのタイミングにおいても、ユーザが入力テキストの誤りに気付いて、前記図４，８に示したように接触操作で「×」印を入力し、これがステップＳ３８において検知されると、アプリケーションに対してテキスト入力のやり直しが要求される。
【００５５】
これに対して、前記ステップＳ３６において、前記図２，６に例示したように、全ての重要テキスト部分の確認が完了したと判定されると、重要テキスト部分を含む全てのテキストをアプリケーションに渡して当該処理を終了する。
【００５６】
本実施形態によれば、ユーザが入力テキストの確認を余儀なくされるような承認パターンの接触操作を要求し、当該承認パターンの接触操作が検出されたことを条件に当該テキストの入力が承認されるので、誤入力を効果的に防止できるようになる。
【００５７】
また、本実施形態では接触操作の速度や加速度に制限を設け、基準速度や基準加速度を越えるような、ユーザが入力テキストを逐一確認しながら接触操作しているとは認められない操作は許可されないようにしたので、ユーザに対して確実な確認操作を期待できるようになる。
【００５８】
さらに、複数のテキストを一覧表示し、それらの確認を求める場合には、各テキストのレイアウトがランダムに変更されるようにし、さらには確認順序がランダムに設定されるようにしたので、慣れによる注意力の低下を防止でき、ユーザに対して更に確実な確認操作を期待できるようになる。
【００５９】
さらに、各テキストに対する接触操作を履歴DB１０９に保存するようにしたので、誤入力等が後に発見された場合などに、その検証が可能になる。
【００６０】
なお、上記の実施形態では、前記レイアウト部１０５による各重要テキスト部分のレイアウトのバリエーションが、表示位置を異ならせるだけのように説明したが、本発明はこれのみに限定されるものではなく、図１３に示したように、各重要テキスト部分の位置および向きをランダムに設定できるようにしても良い。
【００６１】
また、上記の実施形態では、前記レイアウト部１０５により全ての重要テキスト部分がタッチスクリーン１００上に一覧表示されるものとして説明したが、本発明はこれのみに限定されるものではなく、図１４に一例を示したように、各重要テキスト部分を初めに一つだけ表示し[同図(a)]、承認が完了するごとに一つずつ順番に表示[同図(b)，(c)]されるようにしても良い。
【００６２】
さらに、上記の実施形態では、重要テキスト部分の入力が正しい場合の承認パターンが、各重要テキスト部分を始点から終点まで所定の速度・加速度以下でなぞることであるものとして説明したが、本発明はこれのみに限定されるものではなく、図１５に一例を示したように、各重要テキスト部分を行ごとに異なる向きでなぞること、すなわちn行目のテキスト表示位置の一端から他端までの接触操作および(n+1)行目のテキスト表示位置の他端から一端までの接触操作を繰り返すこと[同図(a)]、各重要テキスト部分を２度ずつなぞること[同図(b)]、タッチスクリーン１００の全面を、軌跡が矩形の渦巻き状となるようになぞること[同図(c)]、あるいは軌跡が「○」、「◎」、「△」などの所定の図形、文字形状（ここでは、OK）となるようになぞること[同図(d)]であっても良い。
【００６３】
さらに、上記の実施形態では、抽出された重要テキスト部分の全てがなぞられるものとして説明したが、本発明はこれのみに限定されるものではなく、入力対象が送信メール情報であれば、重要テキスト部分の中でも特に重要なテキストとして、ドメインが社外である宛先、subjectあるいは添付といったように、社外宛のテキスト情報のみがなぞられるようにしても良い。
【符号の説明】
【００６４】
１００…タッチスクリーン，１００ａ…タッチセンサ，１００ｂ…表示パネル，１０１ａ…電子メール，１０１ｂ…ブラウザ，１０３…重要情報抽出部，１０５…レイアウト部，順番設定部１０５ａ…，１０６…承認パターン登録部，１０７…拒否パターン登録部，１０８…操作判定部，１０９…履歴データベース
【図１】
2017059264.tif 000003
【図２】
2017059264.tif 000004
【図３】
2017059264.tif 000005
【図４】
2017059264.tif 000006
【図５】
2017059264.tif 000007
【図６】
2017059264.tif 000008
【図７】
2017059264.tif 000009
【図８】
2017059264.tif 000010
【図９】
2017059264.tif 000011
【図１０】
2017059264.tif 000012
【図１１】
2017059264.tif 000013
【図１２】
2017059264.tif 000014
【図１３】
2017059264.tif 000015
【図１４】
2017059264.tif 000016
【図１５】
2017059264.tif 000017
【図１６】
2017059264.tif 000018